(57)【要約】      （修正有）【課題】障子先端の框の幅やデザインに影響を与えることなく、しかも框に設けるべき他の金具を制限することがない共に、障子の製作範囲最小高さの制約を緩和し、施工誤差や経年変化に対応し易いハンドルの誤動作防止装置、およびそれを備えた開き窓を提供する。【解決手段】障子３先端の縦框３１に設けられ、ハンドル軸１２ａが貫通する装置ケース１０内に、障子３が開口枠２に閉められた場合、開口枠２の被当接部に第１進退部材１１ｂの先端当接部が当接することにより第２進退部材１１ｃの先端係合部をハンドル軸１２ａから離れる方向に移動させ、ハンドル軸１２ａの回動を許可する一方、障子３が開口枠２から開けられた場合、開口枠２の被当接部から第１進退部材１１ｂの先端当接部が離れて、圧縮バネ１１ａの弾性力によって第２進退部材１１ｃの先端係合部がカム部材１２ｂに係合してハンドル軸１２ａの回動を禁止するハンドル軸回動制御部１１を設けた。【選択図】図２
2019039297.tif 000002
【特許請求の範囲】
【請求項１】
開口枠に対し開閉可能に取付けられた障子にハンドル軸を介し回動可能に取付けられたハンドルの誤動作防止装置であって、
前記障子先端の框に設けられ、前記ハンドル軸が貫通する装置ケース内に、前記障子が前記開口枠に閉められた場合、前記開口枠の被当接部に当接部が当接することにより弾性部材の弾性力に対抗して係合部を前記ハンドル軸から離れる方向に移動させ、前記ハンドル軸の回動を許可する一方、前記障子が前記開口枠から開けられた場合、前記開口枠の被当接部から前記当接部が離れ、前記弾性部材の弾性力によって前記係合部を前記ハンドル軸の方へ移動させ前記ハンドル軸の回動を禁止するハンドル軸回動制御部を設けたことを特徴とするハンドルの誤動作防止装置。
【請求項２】
請求項１記載のハンドルの誤動作防止装置において、
前記ハンドル軸には、カム部が設けられる一方、
前記ハンドル軸回動制御部は、
前記開口枠の被当接部に向かって進退動可能に前記装置ケースに設けられた第１進退部材と、
前記第１進退部材を付勢する前記弾性部材と、
前記第１進退部材の進退方向とは交差する方向であって、前記カム部に向かう方向に進退動可能に前記装置ケースに設けられた第２進退部材とを備え、
前記第１進退部材には、前記第１進退部材の進退動を前記第２進退部材の進退動に変換するための方向変換斜行溝またはその方向変換斜行溝に案内される方向変換ピンを設ける一方、前記第２進退部材には、前記第１進退部材に設けられた前記方向変換斜行溝または前記方向変換ピンに係合する方向変換ピンまたは方向変換斜行溝を設け、
前記開口枠の被当接部に前記第１進退部材の先端側の当接部が当接することにより前記弾性部材の弾性力に対抗して前記第１進退部材が退行し、前記第１進退部材の退行により前記第２進退部材が前記ハンドル軸から退行して前記第２進退部材の先端側の前記係合部を前記カム部から離れさせ、前記ハンドル軸の回動を許可する一方、前記障子が前記開口枠から開けられた場合、前記開口枠の被当接部から前記第１進退部材の先端側の前記当接部が離れ、前記弾性部材の弾性力によって前記第１進退部材が進行し、前記第１進退部材の進行により前記第２進退部材が前記ハンドル軸へ向かって進行して前記第２進退部材の先端側の前記係合部が前記カム部に係合して前記ハンドル軸の回動を禁止することを特徴とするハンドルの誤動作防止装置。
【請求項３】
請求項２記載のハンドルの誤動作防止装置において、
前記カム部は、前記ハンドル軸と共に回動するカム部材であることを特徴とするハンドルの誤動作防止装置。
【請求項４】
請求項１記載のハンドルの誤動作防止装置において、
前記ハンドル軸回動制御部は、
先端側に前記当接部を有する一方、後端側に前記係合部を有し、前記本体ケース内で揺動する揺動フックと、
前記揺動フックの前記当接部を前記開口枠の被当接部に向けて付勢する前記弾性部材とから構成され、
前記開口枠の被当接部に前記当接部が当接することにより前記弾性部材の弾性力に対抗して後端側の前記係合部を前記ハンドル軸から離れさせ、前記ハンドル軸の回動を許可する一方、前記障子が前記開口枠から開けられた場合、前記開口枠の被当接部から前記当接部が離れ、前記弾性部材の弾性力によって後端側の前記係合部を前記ハンドル軸に係合して前記ハンドル軸の回動を禁止することを特徴とするハンドルの誤動作防止装置。
【請求項５】
請求項１〜請求項４のいずれか一の請求項に記載のハンドルの誤動作防止装置を備えたことを特徴とする開き窓。
【発明の詳細な説明】
【技術分野】
【０００１】
本発明は、開口枠に対し開閉可能に取付けられた片開き窓、たてすべり出し窓や片開きドア等の障子にハンドル軸を介し回動可能に取付けられたハンドルの誤動作防止装置、およびそれを備えた開き窓に関する。
【背景技術】
【０００２】
片開き窓、たてすべり出し窓や片開きドア等の障子（扉ともいうが、以下、障子と総称する。）においては、障子を開いた状態からハンドルを持って回転させて閉める際に、ハンドルを持つ手が開口枠に挟まれることを防止するため、障子が開いた状態では、ハンドルが回動しないようロックするハンドルの誤動作防止装置が提案されている（例えば、特許文献１参照。）。
【０００３】
この特許文献１の障子（扉）におけるハンドル機構では、障子の先端の縦框にハンドルのハンドル軸が貫通してハンドル軸の回動を往復動に変換する、例えばラックとピニオン機構等から連動装置を設けている。そして、この連動装置と一体で縦框に設けられた開閉機枠の溝内にスライド体を配置し、このスライド体の下端には障子先端の縦框の側面に沿って上下に形成された溝内に連動棒または連動桿等と呼ばれる連動部材を連結すると共に、連動部材の先端に施解錠装置（ロック機構部）を連結し、施解錠装置により障子を開口枠に施錠したり、解錠している。
【０００４】
そして、この特許文献１の障子におけるハンドル機構では、ハンドルのハンドル軸が貫通ししてハンドル軸の回動を往復動に変換する連動装置とは別体の連動部材に長孔部とその長孔部と連続した大径孔部とからなる切欠部を設ける一方、その切欠部に大径部及び小径部を有する係合部から構成されたトリガーを設けてハンドルの誤動作防止装置を構成している。
【０００５】
この特許文献１のハンドルの誤動作防止装置では、障子が閉まった状態では、連動部材が上下に移動可能であり、トリガーの大径部が連動部材の切欠部の大径孔部に係合しないため、施解錠装置は作用せず、ハンドルを回転させて、障子を開けることができる。
【０００６】
その一方、障子が開いた状態では、上下動する連動部材に設けられている大径孔部がトリガーの大径部と係合して連動部材の上下動を阻止し、この阻止によってハンドルの回転をロックして、障子を閉めた際、開口枠に指が挟まれることを防止する。
【先行技術文献】
【特許文献】
【０００７】
【特許文献１】特開平０８−３１２２０６号公報
【発明の概要】
【発明が解決しようとする課題】
【０００８】
しかしながら、上述の特許文献１に記載のハンドルの誤動作防止装置は、ハンドル軸が貫通した連動装置とは別体であり、障子先端の縦框の側面に沿って往復動可能に設置した連動部材に設けているため、障子先端の縦框の幅やデザインに影響を与えると共に、その縦框に設けるべき他の金具を制限してしまうという問題もある。また、障子の製作範囲最小高さの制約要因にもなっている。
【０００９】
また、ハンドルの誤動作防止装置をハンドル軸が貫通した連動装置とは別体で障子先端の縦框に沿って往復動可能に設置した連動部材に設けているため、ハンドルの誤動作防止装置の取付位置を調整できず、加工誤差や経年変化に対応できないという問題もある。
【００１０】
そこで、本発明はこのような問題点に着目してなされたもので、障子先端の框の側面に沿って往復動可能に設置した連動部材ではなく、ハンドル軸が貫通する装置ケース内に設けることにより、障子先端の框の幅やデザインに影響を与えることなく、しかも框に設けるべき他の金具を制限することがない共に、障子の製作範囲最小高さの制約を緩和し、施工誤差や経年変化に対応し易いハンドルの誤動作防止装置、およびそれを備えた開き窓を提供することを目的とする。
【課題を解決するための手段】
【００１１】
前記課題を解決するため、本発明に係るハンドルの誤動作防止装置は、開口枠に対し開閉可能に取付けられた障子にハンドル軸を介し回動可能に取付けられたハンドルの誤動作防止装置であって、前記障子先端の框に設けられ、前記ハンドル軸が貫通する装置ケース内に、前記障子が前記開口枠に閉められた場合、前記開口枠の被当接部に当接部が当接することにより弾性部材の弾性力に対抗して係合部を前記ハンドル軸から離れる方向に移動させ、前記ハンドル軸の回動を許可する一方、前記障子が前記開口枠から開けられた場合、前記開口枠の被当接部から前記当接部が離れ、前記弾性部材の弾性力によって前記係合部を前記ハンドル軸の方へ移動させ前記ハンドル軸の回動を禁止するハンドル軸回動制御部を設けたことを特徴とする。
ここで、前記ハンドル軸には、カム部が設けられる一方、前記ハンドル軸回動制御部は、前記開口枠の被当接部に向かって進退動可能に前記装置ケースに設けられた第１進退部材と、前記第１進退部材を付勢する前記弾性部材と、前記第１進退部材の進退方向とは交差する方向であって、前記カム部に向かう方向に進退動可能に前記装置ケースに設けられた第２進退部材とを備え、前記第１進退部材には、前記第１進退部材の進退動を前記第２進退部材の進退動に変換するための方向変換斜行溝またはその方向変換斜行溝に案内される方向変換ピンを設ける一方、前記第２進退部材には、前記第１進退部材に設けられた前記方向変換斜行溝または前記方向変換ピンに係合する方向変換ピンまたは方向変換斜行溝を設け、前記開口枠の被当接部に前記第１進退部材の先端側の当接部が当接することにより前記弾性部材の弾性力に対抗して前記第１進退部材が退行し、前記第１進退部材の退行により前記第２進退部材が前記ハンドル軸から退行して前記第２進退部材の先端側の前記係合部を前記カム部から離れさせ、前記ハンドル軸の回動を許可する一方、前記障子が前記開口枠から開けられた場合、前記開口枠の被当接部から前記第１進退部材の先端側の前記当接部が離れ、前記弾性部材の弾性力によって前記第１進退部材が進行し、前記第１進退部材の進行により前記第２進退部材が前記ハンドル軸へ向かって進行して前記第２進退部材の先端側の前記係合部が前記カム部に係合して前記ハンドル軸の回動を禁止するように構成すると良い。
また、前記カム部は、前記ハンドル軸と共に回動するカム部材であっても良い。
また、前記ハンドル軸回動制御部は、先端側に前記当接部を有する一方、後端側に前記係合部を有し、前記本体ケース内で揺動する揺動フックと、前記揺動フックの前記当接部を前記開口枠の被当接部に向けて付勢する前記弾性部材とから構成され、前記開口枠の被当接部に前記当接部が当接することにより前記弾性部材の弾性力に対抗して後端側の前記係合部を前記ハンドル軸から離れさせ、前記ハンドル軸の回動を許可する一方、前記障子が前記開口枠から開けられた場合、前記開口枠の被当接部から前記当接部が離れ、前記弾性部材の弾性力によって後端側の前記係合部を前記ハンドル軸に係合して前記ハンドル軸の回動を禁止するように構成しても良い。
また、本発明に係る開き窓は、上述のように構成されたハンドルの誤動作防止装置を備えた開き窓であることを特徴とする。
【発明の効果】
【００１２】
本発明のハンドルの誤動作防止装置、およびそれを備えた開き窓では、ハンドル軸が貫通する装置ケース内に、障子が開口枠に閉められた場合、ハンドル軸の回動を許可する一方、障子が開口枠から開けられた場合、ハンドル軸の回動を禁止するハンドル軸回動制御部を設けたため、障子の框の幅やデザインに影響を与えることなく、しかもその框に設けるべき他の金具を制限することがない共に、障子の製作範囲最小高さの制約を緩和するハンドルの誤動作防止装置を提供することができる。
また、装置ケース内にハンドル軸回動制御部を設けてハンドルの誤動作防止装置を構成したため、ハンドルの誤動作防止装置に加工誤差があったり、経年変化が発生した場合には、ハンドルと共に装置ケースを取外してその中のハンドル軸回動制御部を修理したり、装置ケース毎交換することで対応可能となるので、加工誤差や経年変化に容易に対応することができる。
また、障子が開いた状態ではハンドルを回動できないため、障子を閉める際にハンドルが回動してしまい、ハンドルを持った手が開口枠等に当たって怪我する虞がない、安全な開き窓を提供することができる。
【図面の簡単な説明】
【００１３】
【図１】本発明に係る実施の形態の障子の内観を示す正面図である。
【図２】本発明に係る実施の形態のハンドルの誤動作防止装置（障子を閉めた状態）の主要部の正面断面図である。
【図３】（ａ）〜（ｃ）、それぞれ、実施の形態１のハンドルの誤動作防止装置を構成する被当接部材の正面図、左側面図、平面図である。
【図４】（ａ）〜（ｃ）、それぞれ、実施の形態１のハンドルの誤動作防止装置を構成する装置ケースの正面図、左側面図、平面図である。
【図５】図４（ｃ）におけるＢ−Ｂ線断面図である。
【図６】（ａ）〜（ｃ）、それぞれ、実施の形態１のハンドルの誤動作防止装置を構成するカム部材の平面図、正面図、左側面図である。
【図７】（ａ）〜（ｄ）、それぞれ、実施の形態１のハンドルの誤動作防止装置を構成する第１進退部材の正面図、平面図、右側面図、左側面図である。
【図８】（ａ）〜（ｄ）、それぞれ、実施の形態１のハンドルの誤動作防止装置を構成する第２進退部材の正面図、背面図、右側面図、平面図である。
【図９】図２におけるＡ−Ａ線断面図である。
【図１０】実施の形態１のハンドルの誤動作防止装置（障子を閉めた状態）の主要部の拡大正面断面図である。
【図１１】実施の形態１のハンドルの誤動作防止装置（障子を閉めた状態）によってハンドルを９０度回動した状態を示す正面断面図である。
【図１２】開口枠に対し障子を少し開けて第１進退部材が僅か進行した状態を示す平面断面図である。
【図１３】開口枠に対し障子を開けて第１進退部材が最大限進行した状態を示す平面断面図である。
【図１４】実施の形態１のハンドルの誤動作防止装置（障子を開けた状態）の主要部の正面断面図である。
【図１５】実施の形態１のハンドルの誤動作防止装置（障子を開けた状態）の主要部の拡大正面断面図である。
【図１６】（ａ），（ｂ）それぞれ本発明に係る実施の形態２のハンドルの誤動作防止装置における障子を閉めた状態と、障子を開けた状態を示す正面断面図である。
【発明を実施するための形態】
【００１４】
以下、本発明に係るハンドルの誤動作防止装置、およびそれを備えた開き窓の実施の形態１，２について、図面を参照して説明する。尚、以下に説明する実施の形態はあくまで本発明の一具体例であり、本発明が下記に説明する実施の形態に限定されるものではなく、本発明の技術的思想の範囲内で適宜変更可能である。
例えば、本発明に係るハンドルの誤動作防止装置は、横軸で回転する窓のみに設けるものではなく、縦軸で回転する窓（縦軸回転窓、すべり出し窓等）に設けることもできる。
【００１５】
実施の形態１
実施の形態１のハンドルの誤動作防止装置１は、図１に示すように住宅の壁等に設けられた開口枠２に対し開閉可能に取付けられた片開き窓、たてすべり出し窓や片開きドア等に取付けるものであって、図２に示すように、障子３の先端の縦框３１に設けられた装置ケース１０内にハンドル軸１２ａの回動を許可または禁止するハンドル軸回動制御部１１を備えて構成される。
【００１６】
開口枠２には、図２に示すように、誤動作防止装置１の装置ケース１０に対向する箇所に被当接部材２１がビス２１ｄにより固定されて設けられている。
【００１７】
被当接部材２１は、図３（ａ）〜（ｃ）に示すように構成されており、開口枠２に固定するためのネジ孔２１ｂ１，２１ｂ１が両側に設けられた台座金具２１ｂと、先端部を折り返すことにより被当接部２１ｃ１が設けられると共に、斜めの位置調整用斜行長孔２１ｃ２，２１ｃ２が設けられた被当接金具２１ｃとから構成されており、台座金具２１ｂと被当接金具２１ｃは位置調整ネジ２１ａ，２１ａを位置調整用斜行長孔２１ｃ２，２１ｃ２を介して固定することにより台座金具２１ｂに対する被当接金具２１ｃの図３（ａ）において上下および室内外方向への突出量を調整可能に構成されている。
【００１８】
障子３の先端（戸先側）の縦框３１には、その中空部分に、図２等に示すようにハンドルの誤動作防止装置１の装置ケース１０を設けると共に、図示はしないがハンドル軸１２ａの回動を往復動に変換する周知の往復動変換装置（図示せず。）やその往復動によって障子３を開口枠２に施解錠する周知の施解錠装置（図示せず。）を設けている。そのため、障子３の先端の縦框３１には、後述する図９や図１２、図１３等に示すように、往復動変換装置（図示せず。）の往復動を施解錠装置（図示せず。）に伝達するため縦框３１の長手方向に沿って往復動（スライド）を行う連動部材３１ａが設けられている。
【００１９】
装置ケース１０は、誤動作防止装置１を構成するハンドル軸回動制御部１１を収容するケースで、図２等に示すように障子３の先端の縦框３１に取付けられ、かつ、ハンドル１２のハンドル軸１２ａが貫通しており、図４（ａ）〜（ｃ）および図５に示すように構成されている。
【００２０】
つまり、装置ケース１０は、図４（ａ）〜（ｃ）および図５に示すように障子３の縦框３１に固定するためのネジ孔１０ａ，１０ａと、ハンドル１２のハンドル軸１２ａに装着されたカム部であるカム部材１２ｂの円筒部１２ｂ３を回転可能に支持してハンドル軸１２ａを貫通させる丸孔１０ｂが設けられている。
【００２１】
また、装置ケース１０は、図２に示すようにハンドル軸回動制御部１１を構成する弾性部材である圧縮バネ１１ａや、Ｘ方向（室内外方向）に進退動する第１進退部材１１ｂおよびＸ方向とは直交するＹ方向（上下方向）に進退動する第２進退部材１１ｃを内蔵するため、図４（ａ）〜（ｃ）および図５に示すように、ハンドル軸回動制御部１１の圧縮バネ１１ａの設置位置を決定するための凸部１０ｃと、第１進退部材１１ｂのＸ方向（図２参照。）への進退動をガイドするように第１進退部材１１ｂの幅で内側に突出した一対のＸ方向ガイド部１０ｄ，１０ｄと、第２進退部材１１ｃのＹ方向（図２参照。）への進退動をガイドするようにＹ方向に延びるＹ方向ガイド孔１０ｅと、第１進退部材１１ｂの後述する先端当接部１１ｂ４を装置ケース１０から突出させるための開口部１０ｆが設けられている。
【００２２】
カム部材１２ｂは、図６（ａ）〜（ｃ）に示すように構成されており、カム部１２ｂ１と、ハンドル１２のハンドル軸１２ａが挿入される正方形の角孔１２ｂ２と、装置ケース１０の丸孔１０ｂに挿入され、ハンドル１２のハンドル軸１２ａ（図２参照。）を回動可能に支持するための円筒部１２ｂ３から構成されている。
【００２３】
ハンドル軸回動制御部１１は、図２に示すように弾性部材である圧縮バネ１１ａと、Ｘ方向に進退動する第１進退部材１１ｂと、Ｘ方向とは直交するＹ方向に進退動する第２進退部材１１ｃから構成され、これらの構成要素がそれぞれの機能を発揮できるように上述の装置ケース１０内に取付けられる。
【００２４】
圧縮バネ１１ａは、図２や後述する図９、図１０等に示すように、その後端部が装置ケース１０内の凸部１０ｃ（図４参照。）に嵌められ、先端部は第１進退部材１１ｂの後端部に当接して付勢するように装着される。
【００２５】
第１進退部材１１ｂは、装置ケース１０内において一対のＸ方向ガイド部１０ｄ，１０ｄ（図４（ａ）〜（ｃ）および図５参照。）に案内されてＸ方向に進退動可能に設けられるもので、図７（ａ）〜（ｄ）に示すように、圧縮バネ１１ａの先端部が納まるバネ先端収容部１１ｂ１と、第２進退部材１１ｃがＹ方向へ移動可能に遊嵌する第２進退部材遊嵌部１１ｂ２と、第１進退部材１１ｂのＸ方向の移動を第２進退部材１１ｃへ伝達して方向を変換させるための方向変換ピン１１ｂ３と、開口枠２側に取付けられた被当接部材２１における被当接部２１ｃ１に当接する先端当接部１１ｂ４とを有する。
【００２６】
第２進退部材１１ｃは、装置ケース１０（図４（ａ）〜（ｃ）および図５参照。）内において第１進退部材１１ｂのＸ方向への進退動に連動して直交するＹ方向（図２参照。）に進退動するもので、図８（ａ）〜（ｄ）に示すように、装置ケース１０のＹ方向ガイド孔１０ｅ（図４（ａ）参照。）に挿入されて第２進退部材１１ｃのＹ方向への移動を案内するＹ方向ガイドピン１１ｃ１，１１ｃ１と、第１進退部材１１ｂの方向変換ピン１１ｂ３（図７（ａ），（ｂ）参照。）が挿入されて、第１進退部材１１ｂのＸ方向の移動をＸ方向とは直交するＹ方向に変換する方向変換斜溝１１ｃ２と、ハンドル１２のハンドル軸１２ａに装着されたカム部材１２ｂの先端部に係合する先端係合部１１ｃ３とを有する。
【００２７】
尚、この説明では、先端係合部１１ｃ３は、ハンドル軸１２ａと共に回動するカム部材１２ｂに係合するが、ハンドル軸１２ａにカム部を設けて、ハンドル軸１２ａを直接係合しても良い。
【００２８】
次に、以上のように構成された実施の形態１のハンドルの誤動作防止装置１の動作について説明する。
【００２９】
＜障子３が開口枠２に閉められた状態＞
まずは、障子３が開口枠２に閉められた状態から説明する。
【００３０】
障子３が開口枠２に閉められた場合、図２や、図２におけるＡ−Ａ線断面を示す図９、さらには図２の主要部分を拡大して示す図１０に示すように、開口枠２に取付けられた被当接部材２１における被当接部２１ｃ１に第１進退部材１１ｂの先端当接部１１ｂ４が当接しているので、第１進退部材１１ｂは図９上、Ｘ１方向に押されて退行した状態で、圧縮バネ１１ａも収縮した状態にある。
【００３１】
その際、第２進退部材１１ｃは、図１０に示すように、第１進退部材１１ｂの第２進退部材遊嵌部１１ｂ２に収容され、その方向変換斜溝１１ｃ２に第１進退部材１１ｂの方向変換ピン１１ｂ３が嵌っており、図１０において下方向であるＹ１方向へ最も退行（退避）した最大退避状態にある。
【００３２】
この場合、図２や図９、図１０等に示すように、ハンドル１２のハンドル軸１２ａに装着されたカム部材１２ｂがハンドル１２の回動に従って回動しても、第２進退部材１１ｃはＹ１方向へ最も退行した最大退避状態にあるので、カム部材１２ｂの先端部が第２進退部材１１ｃの先端係合部１１ｃ３に係合しない。
【００３３】
そのため、障子３が開口枠２に閉められた状態では、ハンドル１２を図２等に示すような水平状態から図１１に示すような垂直状態に回動させても、カム部材１２ｂの先端部が第２進退部材１１ｃの先端係合部１１ｃ３に係合しないので、自由に回動させることができる。
【００３４】
その結果、ハンドル１２の回動に応じて施解錠装置（図示せず。）を機能させて、障子３を開口枠２に施錠（ロック）したり、あるいは開口枠２に対し解錠（フリー）状態にすることができる。
【００３５】
尚、この説明では、例えば、図２や図１０に示すようにハンドル１２が水平（横向き）状態にある場合は、施解錠装置（図示せず。）が解錠して、障子３を開口枠２に対しフリー（開閉自在）状態にする一方、図１１に示すようにハンドル１２が鉛直（下向き）状態にある場合は、施解錠装置（図示せず。）が施錠して、障子３が開口枠２にロックされ開かない状態にあるものとするが、この反対でも良い。
【００３６】
＜障子３を開口枠２から開けた状態＞
次に、障子３が開口枠２から開けられた状態を説明する。
【００３７】
上述したように、図２や図１０に示すようにハンドル１２が水平（横向き）状態にある場合、施解錠装置（図示せず。）は解錠状態にあり、障子３は開口枠２に対しフリー（開閉自在）状態にあるので、ユーザがハンドル１２を掴んで開放方向へ押すと、障子３は開口枠２に対し図１２や図１３におけるＺ１方向に徐々に開いていく。
【００３８】
すると、開口枠２側の被当接部２１ｃ１に当接していた第１進退部材１１ｂは、図１２や図１３に示すように、その先端当接部１１ｂ４が開口枠２側の被当接部材２１から離れ、圧縮バネ１１ａの弾性力によってＸ２方向に進行する。
【００３９】
第１進退部材１１ｂがＸ２方向に進行すると、図１４および図１５に示すように、第１進退部材１１ｂの方向変換ピン１１ｂ３もＸ２方向に進むので、Ｙ方向ガイドピン１１ｃ１，１１ｃ１と装置ケース１０のＹ方向ガイド孔１０ｅとによってＹ方向にスライド可能な第２進退部材１１ｃは、その方向変換斜溝１１ｃ２に嵌って案内される第１進退部材１１ｂの方向変換ピン１１ｂ３のＸ２方向への移動によってＹ２方向、すなわち図１４および図１５においてハンドル軸１２ａの方へ進行する。
【００４０】
ここで、障子３を開口枠２から開ける場合、上述したように施解錠装置（図示せず。）を解錠状態にするためハンドル１２は水平（横向き）状態にあるので、ハンドル１２のハンドル軸１２ａに取付けられたカム部材１２ｂは、図１４および図１５に示すように鉛直方向の下向き、すなわちＹ１方向を向いている。
【００４１】
そのため、第２進退部材１１ｃがＹ２方向に移動すると、第２進退部材１１ｃの先端係合部１１ｃ３が、カム部材１２ｂのカム部１２ｂ１の先端部に係合する。
【００４２】
すると、障子３を開口枠２から開けた状態では、図１４や図１５に示すように、ハンドル１２は水平（横向き）状態にあり、第２進退部材１１ｃの先端係合部１１ｃ３がカム部材１２ｂの先端部に係合し、カム部材１２ｂを介しハンドル軸１２ａの回動を間接的に禁止するので、ハンドル１２は水平（横向き）状態から回動できないことになる。
【００４３】
その結果、ユーザは障子３を開口枠２から開けた状態では、ハンドル１２が水平（横向き）状態から回動しないので、障子３を閉める際にハンドル１２を掴んでいる指等を開口枠２に挟むことを防止できる。
【００４４】
従って、実施の形態１のハンドルの誤動作防止装置１によれば、ハンドル軸１２ａが貫通する装置ケース１０内に、障子３が開口枠２に閉められた場合、ハンドル軸１２ａの回動を許可する一方、障子３が開口枠２から開けられた場合、ハンドル軸１２ａの回動を禁止するハンドル軸回動制御部１１を設けたため、障子３の縦框３１の幅やデザインに影響を与えることなく、しかもその縦框３１に設けるべき他の金具を制限することがない共に、障子の製作範囲最小高さの制約を緩和するハンドルの誤動作防止装置を提供することができる。
【００４５】
また、装置ケース１０内にハンドル軸回動制御部１１を設けてハンドルの誤動作防止装置１を構成したため、ハンドルの誤動作防止装置１に加工誤差があったり、経年変化が発生した場合には、ハンドル１２と共に装置ケース１０を取外してその中のハンドル軸回動制御部１１を修理したり、装置ケース１０毎交換することで対応可能となるので、加工誤差や経年変化にも容易に対応することができる。
【００４６】
尚、上記の説明では、ハンドル１２のハンドル軸１２ａは、断面が正方形のハンドル軸１２ａで説明したが、本発明では、これに限定される必要はなく、断面が長方形や多角形等でも勿論良い。
【００４７】
また、上記の説明では、第１進退部材１１ｂには方向変換ピン１１ｂ３を設ける一方、第２進退部材１１ｃには方向変換斜行溝１１ｃ２を設けて説明したが、本発明では、これに限らず、第１進退部材１１ｂに方向変換斜行溝１１ｃ２を設ける一方、第２進退部材１１ｃに方向変換ピン１１ｂ３を設けるようにしても勿論良い。
【００４８】
また、上記の説明では、障子３先端の縦框３１に往復動変換装置（図示せず。）の往復動を施解錠装置（図示せず。）に伝達する往復動する連動部材３１ａを設けて説明したが、本発明ではこれに限らず、ハンドル軸１２ａで直接、施解錠装置（図示せず。）を駆動する場合は、往復動変換装置（図示せず。）や連動部材３１ａは省略することができる。
【００４９】
実施の形態２
上記の実施の形態１の説明では、ハンドル軸回動制御部１１を、弾性部材である圧縮バネ１１ａや、Ｘ方向に進退動する第１進退部材１１ｂ、およびＸ方向とは直交するＹ方向に進退動する第２進退部材１１ｃから構成して説明したが、本発明ではこの構造に限定するものでは無く、実施の形態２のように構成しても良い。
【００５０】
つまり、実施の形態２のハンドルの誤動作防止装置１は、例えば、図１６（ａ），（ｂ）に示すように、ハンドル軸回動制御部１１を、装置ケース１０の揺動中心軸１０ｇを中心に揺動する揺動フック１１ｄと、ねじりバネ（トーションバネ）１１ｅとにより構成したことを特徴とする。
【００５１】
揺動フック１１ｄは、装置ケース１０の揺動中心軸１０ｇを中心に揺動するもので、先端側には開口枠２側の被当接部材２１の被当接部２１ｃ１に当接する先端当接部１１ｄ１を有する一方、後端側にはハンドル１２のハンドル軸１２ａに直接、係合する後端係合部１１ｄ２を有している。
【００５２】
ねじりバネ（トーションバネ）１１ｅは、その中心が装置ケース１０の揺動中心軸１０ｇに挿入されており、一端部は揺動フック１１ｄの先端当接部１１ｄ１に係止されている一方、他端部は装置ケース１０のバネ係止部１０ｈに係止され、揺動フック１１ｄの先端当接部１１ｄ１を常時、開口枠２側の被当接部材２１の方向に付勢する。
【００５３】
つまり、図１６（ａ）に示すように、障子３が開口枠２に閉められた状態では、開口枠２に取付けられた被当接部材２１の被当接部２１ｃ１に、揺動フック１１ｄの先端当接部１１ｄ１が押圧されており、揺動フック１１ｄの後端係合部１１ｄ２がハンドル１２のハンドル軸１２ａに係合しない。
【００５４】
そのため、この場合には、ハンドル１２は自由に回動することが可能で、ハンドル１２の回動に応じて施解錠装置（図示せず。）により、障子３を開口枠２に施錠したり、あるいはフリー（開閉自在）状態にすることができる。
【００５５】
これに対し、障子３が開口枠２から開けられると、揺動フック１１ｄの先端当接部１１ｄ１は開口枠２側の被当接部材２１に当接せず押圧されなくなるので、図１６（ｂ）に示すように、ねじりバネ１１ｅによって半時計回りに回動する。
【００５６】
その結果、図１６（ｂ）に示すように、揺動フック１１ｄの先端当接部１１ｄ１とは反対側の後端係合部１１ｄ２がハンドル１２のハンドル軸１２ａに直接、係合して、ハンドル軸１２ａの回動を禁止するので、ハンドル１２の回動を防止できる。
【００５７】
従って、実施の形態２のハンドルの誤動作防止装置１によれば、障子３先端の縦框３１に設けられ、ハンドル軸１２ａが貫通する装置ケース１０内に揺動フック１１ｄおよびねじりバネ１１ｅからなるハンドル軸回動制御部１１を設けたため、実施の形態１のハンドルの誤動作防止装置１と同様に、障子３の縦框３１の幅やデザインに影響を与えることなく、しかもその縦框３１に設けるべき他の金具を制限することがない共に、障子の製作範囲最小高さの制約を緩和するハンドルの誤動作防止装置を提供することができる。
【００５８】
尚、上記実施の形態１，２の説明では、ハンドルの誤動作防止装置１の装置ケース１０を障子３先端の縦框３１内に内蔵させて説明したが、装置ケース１０はハンドル軸１２ａを貫通していれば十分であるので、障子３先端の縦框３１内ではなく、縦框３１の外側に突出するように設けても勿論良い。
【００５９】
また、被当接部材２１は別体の部品ではなく、先端当接部１１d１が当接する形状を開口枠２と一体に設けておいても良い。
【符号の説明】
【００６０】
１  ハンドルの誤動作防止装置
１０  装置ケース
１０ａ  ネジ孔
１０ｂ  丸孔
１０ｃ  凸部
１０ｄ  Ｘ方向ガイド部
１０ｅ  Ｙ方向ガイド孔
１０ｆ  開口部
１１  ハンドル軸回動制御部
１１ａ  圧縮バネ（弾性部材）
１１ｂ  第１進退部材
１１ｂ１  バネ先端収容部
１１ｂ２  第２進退部材遊嵌部
１１ｂ３  方向変換ピン
１１ｂ４  先端当接部
１１ｃ  第２進退部材
１１ｃ１  Ｙ方向ガイドピン
１１ｃ２  方向変換斜溝
１１ｃ３  先端係合部
１１ｄ  揺動フック
１１ｄ１  先端当接部
１１ｄ２  後端係合部
１１ｅ  ねじりバネ（弾性部材）
１２  ハンドル
１２ａ  ハンドル軸
１２ｂ  カム部材
２  開口枠
２１  被当接部材
２１ａ  位置調整ネジ
２１ｂ  台座金具
２１ｂ１  ネジ孔
２１ｃ  被当接金具
２１ｃ１  被当接部
２１ｃ２  位置調整用斜行長孔
２１ｄ  ビス
３  障子
３１  縦框
３１ａ  連動部材
【図１】
2019039297.tif 000003
【図２】
2019039297.tif 000004
【図３】
2019039297.tif 000005
【図４】
2019039297.tif 000006
【図５】
2019039297.tif 000007
【図６】
2019039297.tif 000008
【図７】
2019039297.tif 000009
【図８】
2019039297.tif 000010
【図９】
2019039297.tif 000011
【図１０】
2019039297.tif 000012
【図１１】
2019039297.tif 000013
【図１２】
2019039297.tif 000014
【図１３】
2019039297.tif 000015
【図１４】
2019039297.tif 000016
【図１５】
2019039297.tif 000017
【図１６】
2019039297.tif 000018
【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
開口枠に対し開閉可能に取付けられた障子にハンドル軸を介し回動可能に取付けられたハンドルの誤動作防止装置であって、
前記ハンドル軸に設けられたカム部と、
前記障子先端の框に前記開口枠の被当接部に向かって進退可能に設けられ、前記開口枠の被当接部に当接部が当接することにより弾性部材の弾性力に対抗して退く一方、前記障子が前記開口枠から開けられた場合、前記開口枠の被当接部から前記当接部が離れ、前記弾性部材の弾性力によって進む第１進退部材と、
前記障子先端の框に設けられ、前記第１進退部材の進退動に連動することにより前記第１進退部材の進退方向とは交差する方向に移動して前記カム部に対し進退する第２進退部材とを備え、
当該第２進退部材は、前記障子が前記開口枠に閉められ、前記第１進退部材の当接部が前記開口枠の被当接部に当接した場合、前記第１進退部材の退行により前記ハンドル軸から退行し、係合部が前記カム部に対し非係合状態となって前記ハンドル軸の回動を許可する一方、前記障子が前記開口枠から開けられ、前記第１進退部材の前記当接部が前記開口枠の被当接部から離れた場合、前記第１進退部材が前記弾性部材の弾性力によって進行することにより前記第２進退部材が前記ハンドル軸へ向かって進行し、前記係合部が前記カム部に対し係合状態となって前記ハンドル軸の回動を禁止するように構成されていることを特徴とするハンドルの誤動作防止装置。
【請求項２】
請求項１記載のハンドルの誤動作防止装置において、
前記カム部は、前記ハンドル軸と共に回動するカム部材であることを特徴とするハンドルの誤動作防止装置。
【請求項３】
請求項１または請求項２記載のハンドルの誤動作防止装置において、
前記第２進退部材は、前記係合部が前記カム部に対し非係合状態となって前記ハンドル軸の回動を許可する際、前記カム部から離れることを特徴とするハンドルの誤動作防止装置。
【請求項４】
請求項１〜請求項３のいずれか一の請求項に記載のハンドルの誤動作防止装置を備えたことを特徴とする開き窓。
【手続補正２】
【補正対象書類名】明細書
【補正対象項目名】００１０
【補正方法】変更
【補正の内容】
【００１０】
そこで、本発明はこのような問題点に着目してなされたもので、障子先端の框の側面に沿って往復動可能に設置した連動部材ではなく、ハンドル軸の回動を直接制御することにより、障子先端の框の幅やデザインに影響を与えることなく、しかも框に設けるべき他の金具を制限することがない共に、障子の製作範囲最小高さの制約を緩和することができるハンドルの誤動作防止装置、およびそれを備えた開き窓を提供することを目的とする。
【手続補正３】
【補正対象書類名】明細書
【補正対象項目名】００１１
【補正方法】変更
【補正の内容】
【００１１】
前記課題を解決するため、本発明に係るハンドルの誤動作防止装置は、開口枠に対し開閉可能に取付けられた障子にハンドル軸を介し回動可能に取付けられたハンドルの誤動作防止装置であって、前記ハンドル軸に設けられたカム部と、前記障子先端の框に前記開口枠の被当接部に向かって進退可能に設けられ、前記開口枠の被当接部に当接部が当接することにより弾性部材の弾性力に対抗して退く一方、前記障子が前記開口枠から開けられた場合、前記開口枠の被当接部から前記当接部が離れ、前記弾性部材の弾性力によって進む第１進退部材と、前記障子先端の框に設けられ、前記第１進退部材の進退動に連動することにより前記第１進退部材の進退方向とは交差する方向に移動して前記カム部に対し進退する第２進退部材とを備え、当該第２進退部材は、前記障子が前記開口枠に閉められ、前記第１進退部材の当接部が前記開口枠の被当接部に当接した場合、前記第１進退部材の退行により前記ハンドル軸から退行し、係合部が前記カム部に対し非係合状態となって前記ハンドル軸の回動を許可する一方、前記障子が前記開口枠から開けられ、前記第１進退部材の前記当接部が前記開口枠の被当接部から離れた場合、前記第１進退部材が前記弾性部材の弾性力によって進行することにより前記第２進退部材が前記ハンドル軸へ向かって進行し、前記係合部が前記カム部に対し係合状態となって前記ハンドル軸の回動を禁止するように構成されていることを特徴とする。
ここで、前記カム部は、前記ハンドル軸と共に回動するカム部材であっても良い。
また、前記第２進退部材は、前記係合部が前記カム部に対し非係合状態となって前記ハンドル軸の回動を許可する際、前記カム部から離れる（当接しない）ように構成しても良い。
また、本発明に係る開き窓は、上述のように構成されたハンドルの誤動作防止装置を備えた開き窓であることを特徴とする。
【手続補正４】
【補正対象書類名】明細書
【補正対象項目名】００１２
【補正方法】変更
【補正の内容】
【００１２】
本発明のハンドルの誤動作防止装置、およびそれを備えた開き窓によれば、障子の框の幅やデザインに影響を与えることなく、しかもその框に設けるべき他の金具を制限することがない共に、障子の製作範囲最小高さの制約を緩和するハンドルの誤動作防止装置を提供することができる。
また、障子が開いた状態ではハンドルを回動できないため、障子を閉める際にハンドルが回動してしまい、ハンドルを持った手が開口枠等に当たって怪我する虞がない、安全な開き窓を提供することができる。